Podtech/llm-jp-corpus-v4-ja_patent huggingface dataset:
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
所定のインタフェースを介して第１構成情報を取得する構成情報取得部と、インストールされたアプリの構成情報を示す第２構成情報を当該アプリから取得してファイルとして記憶装置に保存するアプリ情報管理部と、を備える情報処理装置であって、
前記構成情報取得部による、前記所定のインタフェースを介して、前記第１構成情報を取得する第１取得手段と、
前記構成情報取得部による、前記記憶装置に保存されている前記ファイルから前記第２構成情報を取得する第２取得手段と、
前記第１取得手段により取得された前記第１構成情報を含む所定のプロトコルに準拠した送信用データを作成する作成手段と、を有し、
前記作成手段は、前記送信用データに、前記第２取得手段により取得された前記第２構成情報を追記し、
前記第２構成情報が追記された送信用データは、前記所定のプロトコルで外部の装置に送信され、
前記構成情報取得部は、前記所定のインタフェースを介して前記アプリから前記第２構成情報を取得できないことを特徴とする情報処理装置。
【請求項２】
前記第１取得手段により取得された前記第１構成情報を第１ファイルとして保存する第１保存手段と、
前記第２取得手段により取得された前記第２構成情報を第２ファイルとして保存する第２保存手段と、
前記所定のプロトコルで外部の装置に送信された送信用データで用いた情報を含む前記第１ファイルと前記第２ファイルとから生成されたハッシュ値を保存する第３保存手段と、を更に有し、
前記作成手段は、新たに保存された第１ファイルと第２ファイルとから生成されるハッシュ値が、前記第３保存手段により前回の送信の際に保存されたハッシュ値と違いがある場合に、前記送信用データを作成することを特徴とする請求項１に記載の情報処理装置。
【請求項３】
前記第３保存手段は、前記第１ファイルと前記第２ファイルとの両方から生成された１つのハッシュ値を保存することを特徴とする請求項２に記載の情報処理装置。
【請求項４】
前記所定のプロトコルはＳＯＡＰであり、前記送信用データはＸＭＬで記述されることを特徴とする請求項１乃至３のいずれか１項に記載の情報処理装置。
【請求項５】
前記第１構成情報は、前記情報処理装置が備えるコントローラ、プリンタ、及びフィニッシャの少なくともいずれかの情報を含むことを特徴とする請求項１乃至４のいずれか１項に記載の情報処理装置。
【請求項６】
前記第２構成情報は、前記アプリのインストール情報及びバージョン情報の少なくともいずれかを含むことを特徴とする請求項１乃至５のいずれか１項に記載の情報処理装置。
【請求項７】
所定のインタフェースを介して第１構成情報を取得する構成情報取得部と、インストールされたアプリの構成情報を示す第２構成情報を当該アプリから取得してファイルとして記憶装置に保存するアプリ情報管理部と、を備える情報処理装置における制御方法であって、
前記構成情報取得部による、前記所定のインタフェースを介して、前記第１構成情報を取得する第１取得工程と、
前記構成情報取得部による、前記記憶装置に保存されている前記ファイルから前記第２構成情報を取得する第２取得工程と、
前記第１取得工程で取得された前記第１構成情報を含む所定のプロトコルに準拠した送信用データを作成する作成工程と、を有し、
前記送信用データに、前記第２取得工程で取得された前記第２構成情報がさらに追記され、
前記第２構成情報が追記された送信用データは、前記所定のプロトコルで外部の装置に送信され、
前記構成情報取得部は、前記所定のインタフェースを介して前記アプリから前記第２構成情報を取得できないことを特徴とする制御方法。
【請求項８】
コンピュータを、請求項１乃至６のいずれか１項に記載の情報処理装置の各手段として機能させるためのプログラム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
上記目的を達成するために本発明の一態様に係る情報処理装置は以下のような構成を備える。即ち、
所定のインタフェースを介して第１構成情報を取得する構成情報取得部と、インストールされたアプリの構成情報を示す第２構成情報を当該アプリから取得してファイルとして記憶装置に保存するアプリ情報管理部と、を備える情報処理装置であって、
前記構成情報取得部による、前記所定のインタフェースを介して、前記第１構成情報を取得する第１取得手段と、
前記構成情報取得部による、前記記憶装置に保存されている前記ファイルから前記第２構成情報を取得する第２取得手段と、
前記第１取得手段により取得された前記第１構成情報を含む所定のプロトコルに準拠した送信用データを作成する作成手段と、を有し、
前記作成手段は、前記送信用データに、前記第２取得手段により取得された前記第２構成情報を追記し、
前記第２構成情報が追記された送信用データは、前記所定のプロトコルで外部の装置に送信され、
前記構成情報取得部は、前記所定のインタフェースを介して前記アプリから前記第２構成情報を取得できないことを特徴とする。
【手続補正４】
【補正対象書類名】明細書
【補正対象項目名】０００９
【補正方法】変更
【補正の内容】
【０００９】
本発明によれば、情報処理装置に、例えばＪＡＶＡアプリが新たに追加されるたびにそのアプリの構成情報を取得するためのインタフェースを追加することなく、そのアプリの構成情報と、共通のインタフェースで取得されるその他の情報を纏めて送信することができる。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
２次元座標位置に応じて記録されたデータに幾何変換を行う画像処理装置であって、
第１の座標から第２の座標への変換処理を線形変換と非線形変換とに分解する制御手段であって、前記線形変換及び前記非線形変換の変換パラメータを決定する制御手段と、
前記第１の座標に対し前記線形変換を行って、第３の座標を算出する線形変換手段と、
前記第１の座標に対し前記非線形変換を行って、第４の座標を算出する非線形変換手段と、
前記第３の座標と前記第４の座標を合成して、前記第２の座標を算出する合成手段と
を有し、前記制御手段は、前記第３の座標で構成される第３の四角形が前記第２の座標で構成される第２の四角形に近い四角形となるように、前記変換パラメータを決定し、前記線形変換手段および前記非線形変換手段それぞれに前記変換パラメータを設定することを特徴とする画像処理装置。
【請求項２】
前記制御手段は、前記第１の座標で構成される第１の四角形の四頂点座標及び前記第２の座標で構成される第２の四角形の四頂点座標を取得し、取得した四頂点座標に基づいて前記変換パラメータを決定することを特徴とする請求項１に記載の画像処理装置。
【請求項３】
前記制御手段は、前記第３の四角形の四頂点のうちの３点が前記第２の四角形の四頂点のうちの３点と一致するように、前記変換パラメータを決定することを特徴とする請求項２に記載の画像処理装置。
【請求項４】
前記制御手段は、前記第３の四角形の四頂点と前記第２の四角形の四頂点との距離の絶対値和が最小となるように、前記変換パラメータを決定することを特徴とする請求項２に記載の画像処理装置。
【請求項５】
前記制御手段は、前記第３の四角形の面積のうち前記第２の四角形の面積と重複する領域の面積の割合が最大となるように、前記変換パラメータを決定することを特徴とする請求項２に記載の画像処理装置。
【請求項６】
前記制御手段は、前記変換処理を前記線形変換と前記非線形変換の加算に分解し、前記合成手段は前記第３の座標と前記第４の座標を加算して前記第２の座標を算出することを特徴とする請求項１乃至５のいずれか１項に記載の画像処理装置。
【請求項７】
前記制御手段は、前記変換処理を前記線形変換と前記非線形変換の乗算に分解し、前記合成手段は前記第３の座標と前記第４の座標を乗算して前記第２の座標を算出することを特徴とする請求項１乃至５のいずれか１項に記載の画像処理装置。
【請求項８】
前記線形変換はアフィン変換で表現可能な変換であり、前記非線形変換はアフィン変換で表現不可能な変換であることを特徴とする請求項１乃至７のいずれか１項に記載の画像処理装置。
【請求項９】
前記非線形変換の演算精度は、前記線形変換の演算精度よりも低いことを特徴とする請求項１乃至８のいずれか１項に記載の画像処理装置。
【請求項１０】
前記非線形変換の演算結果の絶対値は、前記線形変換の演算結果の絶対値よりも小さいことを特徴とする請求項１乃至９のいずれか１項に記載の画像処理装置。
【請求項１１】
前記２次元座標位置に応じて記録されたデータは画像データであり、前記変換処理は前記幾何変換後の画像の座標から前記幾何変換前の画像の座標への変換処理であり、前記幾何変換前の画像の座標に従って前記データを外部メモリから読み取る手段をさらに有することを特徴とする請求項１乃至１０のいずれか１項に記載の画像処理装置。
【請求項１２】
前記２次元座標位置に応じて記録されたデータは画像データであり、前記変換処理は前記幾何変換前の画像の座標から前記幾何変換後の画像の座標への変換処理であり、前記幾何変換後の画像の座標に従って前記データを外部メモリに書き込む手段をさらに有することを特徴とする請求項１乃至１０のいずれか１項に記載の画像処理装置。
【請求項１３】
複数の画像データを合成する画像処理装置であって、
複数の画像データを幾何変換する画像幾何変換手段と、
属性データを幾何変換する属性データ幾何変換手段と、
前記属性データ幾何変換手段で幾何変換された前記属性データに基づき、前記画像幾何変換手段で幾何変換された前記複数の画像データを合成する画像合成手段と
を有し、
前記属性データ幾何変換手段は、
第１の座標から第２の座標への変換処理を線形変換と非線形変換とに分解する制御手段であって、前記線形変換及び前記非線形変換の変換パラメータを決定する制御手段と、
前記第１の座標に対し前記線形変換を行って、第３の座標を算出する線形変換手段と、
前記第１の座標に対し前記非線形変換を行って、第４の座標を算出する非線形変換手段と、
前記第３の座標と前記第４の座標を合成して、前記第２の座標を算出する合成手段と
を有し、前記制御手段は、前記第３の座標で構成される第３の四角形が前記第２の座標で構成される第２の四角形に近い四角形となるように、前記変換パラメータを決定し、前記線形変換手段および前記非線形変換手段それぞれに前記変換パラメータを設定することを特徴とする画像処理装置。
【請求項１４】
２次元座標位置に応じて記録されたデータに幾何変換を行う画像処理方法であって、
第１の座標から第２の座標への変換処理を線形変換と非線形変換とに分解する制御工程であって、前記線形変換及び前記非線形変換の変換パラメータを決定する制御工程と、
前記第１の座標に対し、前記制御工程で決定された前記線形変換の前記変換パラメータに従って前記線形変換を行うことで、第３の座標を算出する線形変換工程と、
前記第１の座標に対し、前記制御工程で決定された前記非線形変換の前記変換パラメータに従って前記非線形変換を行うことで、第４の座標を算出する非線形変換工程と、
前記第３の座標と前記第４の座標を合成して、前記第２の座標を算出する合成工程と
を有し、前記制御工程は、前記第３の座標で構成される第３の四角形が前記第２の座標で構成される第２の四角形に近い四角形となるように、前記変換パラメータを決定することを特徴とする画像処理方法。
【請求項１５】
コンピュータを、請求項１乃至１３のいずれか１項に記載の画像処理装置の各手段として機能させるためのプログラム。
【手続補正書】
【提出日】平成31年3月5日(2019.3.5)
【手続補正１】
【補正対象書類名】明細書
【補正対象項目名】０００８
【補正方法】変更
【補正の内容】
【０００８】
近年のワンループコントローラは表示部において発光ダイオードディスプレイに代えて液晶ディスプレイが多く採用されている。このコントローラの液晶ディスプレイでの測定値、目標値、操作量等の出力表示はＦＷ制御（ファームウェア制御）が必須であることから発光ダイオードディスプレイを採用したワンループコントローラのような制御部のみでの操作対象のバックアップ制御を実行できないことがある。
【手続補正２】
【補正対象書類名】明細書
【補正対象項目名】００１９
【補正方法】変更
【補正の内容】
【００１９】
［本実施形態の概要］
図１に示された本実施形態のコントローラ１は、操作対象５を制御するワンループコントローラであって、少なくとも２つのＣＰＵ２と、液晶ディスプレイ（以下、ＬＣＤ）４０を備えた表示部４とを有する。２つのＣＰＵ２のうち、第一演算部である第一ＣＰＵ２Ａが操作対象５のプロセス制御やＬＣＤ４０の表示制御等の動作制御を行うメイン制御を実行する一方で、第二演算部である第二ＣＰＵ２Ｂが通常の伝送路制御を実行する。これにより、ＬＣＤ４０の表示処理に関わるファームウェア（Ｆ／Ｗ）制御の負荷軽減を図る。そして、第一ＣＰＵ２Ａに異常が発生した場合に第二ＣＰＵ２Ｂが表示部４、操作対象５の最低限のバックアップ制御を行う。
【手続補正書】
【提出日】平成31年4月12日(2019.4.12)
【手続補正１】
【補正対象書類名】特許請求の範囲
【補正対象項目名】請求項１０
【補正方法】変更
【補正の内容】
【請求項１０】
請求項７に記載の比例圧力コントローラにおいて、さらに
前記本体内に前記入口バルブキャビティに隣接配置されたシリンダキャビティと、
前記シリンダキャビティ内に摺動自在に配置され、前記入口ポペットバルブに当接するよう構成され、前記シリンダキャビティ内で変位することで前記入口バルブキャビティ内で前記入口ポペットバルブを移動させるピストンとを備えることを特徴とする比例圧力コントローラ。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
少なくとも１つの光電変換セルを備え、
前記光電変換セルが、
電極基板と、
前記電極基板に対向する対向基板と、
前記電極基板のうち前記対向基板側の表面上に設けられる酸化物半導体層と、
前記電極基板と前記対向基板とを接合する環状の封止部とを有する光電変換装置であって、
前記電極基板のうち前記対向基板と反対側に設けられるアンテナコイルを備え、
前記アンテナコイルが、前記封止部の厚さ方向に前記封止部及び前記アンテナコイルを見た場合に、前記封止部と重なるように配置されている、光電変換装置。
【請求項２】
少なくとも１つの光電変換セルを備え、
前記光電変換セルが、
電極基板と、
前記電極基板に対向する対向基板と、
前記電極基板と前記対向基板とを接合する環状の封止部とを有する光電変換装置であって、
前記電極基板のうち前記対向基板と反対側に設けられるアンテナコイルと、
前記電極基板のうち前記対向基板と反対側に設けられる絶縁部とを備え、
前記アンテナコイルが、前記封止部の厚さ方向に前記封止部及び前記アンテナコイルを見た場合に、前記封止部と重なるように配置され、
前記絶縁部が、前記アンテナコイルを覆うように設けられる樹脂層を有し、
前記絶縁部が紫外線吸収剤を含む、光電変換装置。
【請求項３】
少なくとも１つの光電変換セルを備え、
前記光電変換セルが、
電極基板と、
前記電極基板に対向する対向基板と、
前記電極基板と前記対向基板とを接合する環状の封止部とを有する光電変換装置であって、
前記電極基板のうち前記対向基板と反対側に設けられるアンテナコイルと、
前記電極基板のうち前記対向基板と反対側に設けられる絶縁部とを備え、
前記アンテナコイルが、前記封止部の厚さ方向に前記封止部及び前記アンテナコイルを見た場合に、前記封止部と重なるように配置され、
前記絶縁部が、前記アンテナコイルを覆うように設けられる樹脂層と、前記アンテナコイルを支持する支持基板と、前記支持基板と前記電極基板とを接着する接着層とを有し、
前記電極基板が透明基板を有し、
前記接着層が、前記透明基板の屈折率と前記支持基板の屈折率との間の屈折率を有する
、光電変換装置。
【請求項４】
前記絶縁部が、前記アンテナコイルを支持する支持基板と、前記支持基板と前記電極基板とを接着する接着層とをさらに有し、
前記電極基板が透明基板を有し、
前記接着層が、前記透明基板の屈折率と前記支持基板の屈折率との間の屈折率を有する、請求項２に記載の光電変換装置。
【請求項５】
前記電極基板のうち前記対向基板と反対側に設けられ光を遮蔽する光遮蔽部をさらに備え、
前記光遮蔽部及び前記封止部を前記封止部の厚さ方向に見た場合に前記光遮蔽部が前記封止部と重なって配置されている、請求項１〜４のいずれか一項に記載の光電変換装置。
【請求項６】
前記光電変換セルが色素増感光電変換セルで構成される、請求項１〜５のいずれか一項に記載の光電変換装置。
【請求項７】
前記アンテナコイルが、前記封止部の厚さ方向に前記封止部及び前記アンテナコイルを見た場合に、前記封止部に沿って巻回するように設けられ、
隣り合う前記アンテナコイル間の隙間の幅が前記アンテナコイルの幅よりも小さい、請求項１〜６のいずれか一項に記載の光電変換装置。
【手続補正書】
【提出日】平成31年1月18日(2019.1.18)
【手続補正１】
【補正対象書類名】特許請求の範囲
【補正対象項目名】請求項１
【補正方法】変更
【補正の内容】
【請求項１】
連続的に搬送される金属線材の搬送経路に沿って、
表面に潤滑剤が塗布された金属線材を通過させる貫通孔を有する伸線ダイスと、
前記伸線ダイスにて伸線された前記金属線材を加熱し、前記金属線材の表面に付着する前記潤滑剤を揮発させる加熱部と、
エアを噴射するエア噴射機構を有し、前記加熱部にて加熱された前記金属線材にエアを噴射することにより、前記金属線材と前記金属線材の表面に残存する異物の両方もしくは片方を振動させて当該異物を振るい落とす異物除去部と、
前記異物除去部から搬出される前記金属線材に当接するように配置され、前記金属線材の搬送方向下流側への振動の伝播を抑制する振動抑制部材と、
前記振動抑制部材の下流に配置され、前記金属線材の外周に絶縁被覆を形成する絶縁被覆形成部と、を備える、絶縁電線の製造装置。
【手続補正２】
【補正対象書類名】特許請求の範囲
【補正対象項目名】請求項６
【補正方法】変更
【補正の内容】
【請求項６】
搬送経路に沿って連続的に搬送される金属線材の表面に潤滑剤を塗布し、前記金属線材を伸線ダイスにより伸線する伸線工程と、
伸線した前記金属線材を加熱し、前記金属線材の表面に付着する前記潤滑剤を揮発させる揮発工程と、
加熱した前記金属線材に振動抑制部材を当接させつつ、前記金属線材の前記振動抑制部材よりも搬送方向上流側にエアを噴射することにより、前記金属線材と前記金属線材の表面に残存する異物の両方もしくは片方を振動させて当該異物を振るい落とす異物除去工程と、
異物除去工程後の前記金属線材の外周を被覆するように絶縁被覆を形成する絶縁被覆形成工程と、を有する、絶縁電線の製造方法。
【手続補正３】
【補正対象書類名】明細書
【補正対象項目名】０００８
【補正方法】変更
【補正の内容】
【０００８】
本発明の一態様によれば、
連続的に搬送される金属線材の搬送経路に沿って、
表面に潤滑剤が塗布された金属線材を通過させる貫通孔を有する伸線ダイスと、
前記伸線ダイスにて伸線された前記金属線材を加熱し、前記金属線材の表面に付着する前記潤滑剤を揮発させる加熱部と、
エアを噴射するエア噴射機構を有し、前記加熱部にて加熱された前記金属線材にエアを噴射することにより、前記金属線材と前記金属線材の表面に残存する異物の両方もしくは片方を振動させて当該異物を振るい落とす異物除去部と、
前記異物除去部から搬出される前記金属線材に当接するように配置され、前記金属線材の搬送方向下流側への振動の伝播を抑制する振動抑制部材と、
前記振動抑制部材の下流に配置され、前記金属線材の外周に絶縁被覆を形成する絶縁被覆形成部と、を備える、絶縁電線の製造装置が提供される。
【手続補正４】
【補正対象書類名】明細書
【補正対象項目名】０００９
【補正方法】変更
【補正の内容】
【０００９】
本発明の他の態様によれば、
搬送経路に沿って連続的に搬送される金属線材の表面に潤滑剤を塗布し、前記金属線材を伸線ダイスにより伸線する伸線工程と、
伸線した前記金属線材を加熱し、前記金属線材の表面に付着する前記潤滑剤を揮発させる揮発工程と、
加熱した前記金属線材に振動抑制部材を当接させつつ、前記金属線材の前記振動抑制部材よりも搬送方向上流側にエアを噴射することにより、前記金属線材と前記金属線材の表面に残存する異物との両方もしくは片方を振動させて当該異物を振るい落とす異物除去工程と、
異物除去工程後の前記金属線材の外周を被覆するように絶縁被覆を形成する絶縁被覆形成工程と、を有する、絶縁電線の製造方法が提供される。
【手続補正書】
【提出日】平成31年3月4日(2019.3.4)
【手続補正１】
【補正対象書類名】特許請求の範囲
【補正対象項目名】請求項４
【補正方法】変更
【補正の内容】
【請求項４】
前記入力手段が入力した複数のフロー定義文書に対応するワークフロージョブを記憶管理する管理手段と、
該管理手段で管理している各ワークフロージョブの状態の一覧を表示する表示手段と更に有し、
前記編集手段は、前記表示手段で表示されたワークフロージョブの中の、前記実行手段による実行が完了した状態のジョブの実行により得られた情報を修正することを特徴とする請求項１乃至３のいずれか１項に記載の情報処理装置。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
基板の上に供給されたインプリント材を型で成形して前記基板の上にパターンを形成するために使用される方法であって、
前記型のパターンの情報に基づいて分割して得られた前記型の複数の領域のそれぞれに関して、
前記型のパターンの情報に基づいて、前記インプリント材の第１配置パターンに関する第１情報を得、
前記基板の上に形成すべき前記パターンの残膜の厚さに関する情報に基づいて、前記インプリント材の第２配置パターンに関する第２情報を得、
前記第１情報と前記第２情報とに基づいて、前記基板の上に配置する前記インプリント材の第３配置パターンに関する第３情報を得る、
ことを特徴とする方法。
【請求項２】
前記型のパターンの情報は、単位面積当たりの前記型の凹部の体積および前記凹部の形状に関する情報を含むことを特徴とする請求項１に記載の方法。
【請求項３】
前記第２情報は、前記残膜の面積にも基づいて得ることを特徴とする請求項１または２に記載の方法。
【請求項４】
前記インプリント材の供給は、インクジェット方式で行うことを特徴とする請求項１乃至３のうちいずれか１項に記載の方法。
【請求項５】
前記第１配置パターンおよび前記第２配置パターンのそれぞれは、格子状の配置パターンであることを特徴とする請求項１乃至４のうちいずれか１項に記載の方法。
【請求項６】
前記第１配置パターンは、前記型のパターンによる前記インプリント材の前記型への充填の異方性に基づいて得ることを特徴とする請求項１乃至５のうちいずれか１項に記載の方法。
【請求項７】
前記第２配置パターンは、前記型のパターンによる前記インプリント材の前記型への充填の異方性に基づいて得ることを特徴とする請求項１乃至６のうちいずれか１項に記載の方法。
【請求項８】
前記複数の領域は、そこに形成されているパターンにおいて互いに異なることを特徴とする請求項１乃至７のうちいずれか１項に記載の方法。
【請求項９】
請求項１ないし８のうちいずれか１項に記載の方法をコンピュータに実行させることを特徴とするプログラム。
【請求項１０】
基板の上に供給されたインプリント材を型で成形して前記基板の上にパターンを形成するインプリント装置であって、
前記インプリント材を前記基板の上に供給する供給部と、
前記供給部を制御する制御部を備え、
前記制御部は、
前記型のパターンの情報に基づいて分割して得られた前記型の複数の領域のそれぞれに関して、
前記型のパターンの情報に基づいて、前記インプリント材の第１配置パターンに関する第１情報を得、
前記基板の上に形成すべき前記パターンの残膜の厚さに関する情報に基づいて、前記インプリント材の第２配置パターンに関する第２情報を得、
前記第１情報と前記第２情報とに基づいて、前記基板の上に配置する前記インプリント材の第３配置パターンに関する第３情報を得、
前記第３情報に基づいて前記供給部を制御する、
ことを特徴とするインプリント装置。
【請求項１１】
請求項１０に記載のインプリント装置を用いて基板の上にパターンを形成する工程と、
前記工程で前記パターンを形成された前記基板を加工する工程と、
を含むことを特徴とする物品の製造方法。
【手続補正２】
【補正対象書類名】明細書
【補正対象項目名】０００７
【補正方法】変更
【補正の内容】
【０００７】
上記課題を解決するために、本発明は、基板の上に供給されたインプリント材を型で成形して基板の上にパターンを形成するために使用される方法であって、型のパターンの情報に基づいて分割して得られた型の複数の領域のそれぞれに関して、型のパターンの情報に基づいて、インプリント材の第１配置パターンに関する第１情報を得、基板の上に形成すべきパターンの残膜の厚さに関する情報に基づいて、インプリント材の第２配置パターンに関する第２情報を得、第１情報と第２情報とに基づいて、基板の上に配置するインプリント材の第３配置パターンに関する第３情報を得る、ことを特徴とする。
【手続補正書】
【提出日】平成30年12月4日(2018.12.4)
【手続補正１】
【補正対象書類名】明細書
【補正対象項目名】００４０
【補正方法】変更
【補正の内容】
【００４０】
図１６〜図１８に示されるように、基板２００Ａは、少なくとも部分的にコネクタ１００を収容する凹部２１０Ａを有している。また、基板２００Ａは、凹部２１０Ａ内において、左右方向内側に突出する一対の突出部２２０Ａを有している。突出部２２０Ａは、コネクタ１００Ａの側凹部１７０Ａにそれぞれ対応している。突出部２２０Ａは、上下方向に沿って見た場合、四角形形状を有している。各突出部２２０Ａの先端部には、複数の基板側接点２２１が形成されている。基板側接点２２１は、それぞれコネクタ１００Ａのコンタクト１２０に対応している。
【手続補正２】
【補正対象書類名】明細書
【補正対象項目名】００４７
【補正方法】変更
【補正の内容】
【００４７】
以上、本発明について実施の形態を掲げて具体的に説明してきたが、本発明はこれに限定されるものではなく、種々の変形、変更が可能である。例えば、上記実施の形態では、ハウジング１３０（１３０Ａ，１３０Ｂ）の二つの側面１６１及び１６３（１６１Ａ及び１６３Ａ，１６１Ｂ及び１６３Ｂ）の側にそれぞれ複数のコンタクト１２０（１２０，１２０Ｂ）が設けられているが、コンタクト１２０（１２０，１２０Ｂ）は、一方の側面１６１又は１６３（１６１Ａ又は１６３Ａ，１６１Ｂ又は１６３Ｂ）の側のみに設けられてもよい。この場合、保護部（縦壁１７１，１７１Ａ，１７１Ｂ）は、少なくとも二つあればよい。その場合においても、保護部は、前後方向に互いに離れて配置され、それらの間には、コンタクト１２０（１２０，１２０Ｂ）の第１接点１２７（１２７，１２７Ｂ）が配置される。そして、前後方向に見た場合、保護部は、コンタクト１２０（１２０，１２０Ｂ）の第１接点１２７（１２７，１２７Ｂ）を隠している。また、コンタクト１２０（１２０，１２０Ｂ）は、ハウジング１３０（１３０Ａ，１３０Ｂ）の背面１５７の側に設けられてもよい。その場合、保護部は、左右方向（第１水平方向）に互いに離れて配置され、それらの間に、コンタクト１２０（１２０，１２０Ｂ）の第１接点１２７（１２７，１２７Ｂ）が配置される。そして、左右方向に見た場合、保護部は、コンタクト１２０（１２０，１２０Ｂ）の第１接点１２７（１２７，１２７Ｂ）を隠す。また、上記実施の形態では、コネクタは、コネクタを基板に固定するための固定部を有していないが、コネクタを基板に固定するための固定部をコネクタに更に設けてもよい。
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
電解質膜の両面に電極が配設される電解質膜・電極構造体とセパレータとを有する発電セルを備え、複数の前記発電セルが積層される積層体の積層方向両端には、絶縁プレート、プレート面方向に沿って冷却媒体を流通させる冷却媒体通路が形成された冷媒プレート、及びエンドプレートが、外方に向って順次配設されるとともに、一方のエンドプレートの外方には、少なくとも酸化剤ガス、燃料ガス又は前記冷却媒体である流体を前記積層方向に流通させる流体連通孔に連通する流体マニホールドが設けられる燃料電池スタックであって、
前記流体マニホールドに連通する内部流路を有するとともに前記流体マニホールドに係合する流体管部材を備え、
前記エンドプレートには、前記流体管部材を貫通させる開口部が形成される一方、
前記冷媒プレートの外周には、前記流体管部材を通過させる切り欠き部が形成されており、
前記絶縁プレートに直接当接する前記流体管部材の端部と前記絶縁プレートとの間には、前記流体連通孔を周回するシール部材が介装されていることを特徴とする燃料電池スタック。
【請求項２】
請求項１記載の燃料電池スタックであって、前記流体管部材は、フランジ部を有し、前記フランジ部は、ノックピンを介して前記絶縁プレートに位置決めされていることを特徴とする燃料電池スタック。
【請求項３】
請求項１又は２記載の燃料電池スタックであって、前記冷却媒体通路は、前記流体連通孔のうち冷却媒体入口連通孔と冷却媒体出口連通孔とに連通することを特徴とする燃料電池スタック。
【請求項４】
請求項１記載の燃料電池スタックであって、前記流体管部材は、フランジ部を有し、
前記フランジ部は、前記エンドプレートと前記絶縁プレートとの間に挟まれることを特徴とする燃料電池スタック。
【請求項５】
請求項１〜４のいずれか１項に記載の燃料電池スタックであって、前記流体マニホールドの内周と前記流体管部材の外周との間にシール部材が配置されることを特徴とする燃料電池スタック。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
特定条件の成立に基づいて遊技情報を取得する遊技情報取得手段と、
第１図柄を変動表示可能な第１表示手段と、
前記第１図柄の変動表示と略同期して第２図柄を変動表示可能な第２表示手段と、
種々の演出が可能な演出手段と、
前記第１図柄の変動時間を決定する変動時間決定手段と、
前記第１表示手段による前記第１図柄の変動表示を制御する第１図柄制御手段と、
前記第２表示手段による前記第２図柄の変動表示を制御する第２図柄制御手段と、
前記演出手段による演出を実行制御可能な演出制御手段と、
前記第１図柄の停止態様が特定態様となった場合に、遊技者に有利な特典遊技を実行制御可能な特典遊技制御手段と
を備えた遊技機において、
前記変動時間決定手段は複数種の変動時間の中から１つの変動時間を決定可能であり、
前記複数種の変動時間には、第１変動時間と、該第１変動時間より長い変動時間である第２変動時間とが少なくとも含まれ、
前記第２図柄制御手段は、前記第１図柄の変動開始時期と略同時期に複数の前記第２図柄の変動を開始させた後、前記第１図柄が停止表示されるよりも前に前記複数の第２図柄を全て停止状態にさせると共に、前記複数の第２図柄が全て停止状態にされてから前記第１図柄が停止表示されるまでの特定期間中は前記全ての第２図柄の停止状態を維持可能であり、
前記第１変動時間において前記複数の第２図柄の停止状態が維持される第１特定期間より、前記第２変動時間において前記複数の第２図柄の停止状態が維持される第２特定期間の方が長く設定され、
前記演出制御手段は、前記第２特定期間中に、当該変動よりも後の変動に関する非当該変動演出を実行可能である
ことを特徴とする遊技機。
【手続補正２】
【補正対象書類名】明細書
【補正対象項目名】０００５
【補正方法】変更
【補正の内容】
【０００５】
本発明は、特定条件の成立に基づいて遊技情報を取得する遊技情報取得手段６２と、第１図柄を変動表示可能な第１表示手段２６と、前記第１図柄の変動表示と略同期して第２図柄を変動表示可能な第２表示手段３８と、種々の演出が可能な演出手段２２，３０，７１，７２と、前記第１図柄の変動時間を決定する変動時間決定手段６４ｃと、前記第１表示手段２６による前記第１図柄の変動表示を制御する第１図柄制御手段６５と、前記第２表示手段３８による前記第２図柄の変動表示を制御する第２図柄制御手段７３，７５と、前記演出手段２２，３０，７１，７２による演出を実行制御可能な演出制御手段７３，７５と、前記第１図柄の停止態様が特定態様となった場合に、遊技者に有利な特典遊技を実行制御可能な特典遊技制御手段６７とを備えた遊技機において、前記変動時間決定手段６４ｃは複数種の変動時間の中から１つの変動時間を決定可能であり、前記複数種の変動時間には、第１変動時間と、該第１変動時間より長い変動時間である第２変動時間とが少なくとも含まれ、前記第２図柄制御手段７３，７５は、前記第１図柄の変動開始時期と略同時期に複数の前記第２図柄の変動を開始させた後、前記第１図柄が停止表示されるよりも前に前記複数の第２図柄を全て停止状態にさせると共に、前記複数の第２図柄が全て停止状態にされてから前記第１図柄が停止表示されるまでの特定期間中は前記全ての第２図柄の停止状態を維持可能であり、前記第１変動時間において前記複数の第２図柄の停止状態が維持される第１特定期間より、前記第２変動時間において前記複数の第２図柄の停止状態が維持される第２特定期間の方が長く設定され、前記演出制御手段７３，７５は、前記第２特定期間中に、当該変動よりも後の変動に関する非当該変動演出を実行可能に構成したものである。
【手続補正３】
【補正対象書類名】明細書
【補正対象項目名】００６８
【補正方法】変更
【補正の内容】
【００６８】
変動パターンコマンド受信時処理（図１０）では、まず連続演出回数カウンタの値が０より大であるか否か、即ち先読み連続演出の実行中であるか否かを判定する（Ｓ３１）。そして、連続演出回数カウンタの値が０よりも大である場合、即ち先読み連続演出の実行中である場合には（Ｓ３１：Ｙｅｓ）、連続演出回数カウンタの値を１減算する（Ｓ３２）と共に、先読み連続演出シナリオをセットする（Ｓ３３）。ここで、先読み連続演出シナリオは、先読み連続演出の種類（ここでは雨と雷）毎に設けられているが、更に変動パターン毎に異なっている。なお本実施形態では、先読み連続演出シナリオが実行される変動パターンはリーチ変動パターンに限られており（図８）、例えば背景画像として雨演出又は雷演出が行われるように設定されている。
【手続補正４】
【補正対象書類名】明細書
【補正対象項目名】００７３
【補正方法】変更
【補正の内容】
【００７３】
図１１に例示した複数の変動パターンのうち、例えば図柄停止で終了している変動パターン、例えばリーチなし通常１〜３変動パターン、ノーマルリーチ１，２，４変動パターン、スーパーリーチ１〜４変動パターンについては、特別図柄が停止表示されるタイミング（即ち特別図柄変動期間の終了タイミング）の直前（第１停止タイミング）で演出図柄を全て停止させるようになっているものとし、図柄停止で終了していない変動パターン、例えばノーマルリーチ３変動パターン、スーパーリーチ５変動パターンについては、特別図柄が停止表示されるタイミング（即ち特別図柄変動期間の終了タイミング）の直前（第１停止タイミング）よりも更に前のタイミング（第２停止タイミング）で演出図柄を全て停止させるようになっているものとする。このように本実施形態では、特別図柄（第１図柄）が停止表示されるタイミングよりも前で且つそのタイミングに近い第１停止タイミングと、この第１停止タイミングよりも更に前の第２停止タイミングとを含む２以上のタイミングで演出図柄（第２図柄）を停止表示することが可能となっている。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
特定条件の成立に基づいて遊技情報を取得する遊技情報取得手段と、
前記遊技情報取得手段によって取得された遊技情報を所定数を上限として記憶可能な記憶手段と、
複数の図柄を変動表示可能な表示手段と、
種々の演出が可能な演出手段と、
前記複数の図柄の変動時間を決定する変動時間決定手段と、
前記変動時間決定手段によって決定された変動時間内で前記複数の図柄の変動表示を制御可能であり、図柄変動表示中に前記記憶手段に前記遊技情報が記憶されている場合、今回図柄変動表示の終了後に次回図柄変動表示を制御可能な図柄制御手段と、
前記演出手段による演出を実行制御可能な演出制御手段と、
前記複数の図柄の停止態様が特定態様となった場合に、遊技者に有利な特典遊技を実行制御可能な特典遊技制御手段と
を備えた遊技機において、
前記演出制御手段は、前記変動時間決定手段により決定された今回図柄変動表示の変動時間が特定の変動時間であった場合に、該特定の変動時間内で、当該今回図柄変動表示の結果を示唆する第１結果示唆演出と、次回図柄変動表示又はそれ以降の図柄変動表示の結果を示唆する第２結果示唆演出とを実行可能であり、
前記図柄制御手段は、
前記演出制御手段による前記第１結果示唆演出の実行中は、前記複数の図柄の少なくとも一部の図柄を変動表示させ、
前記演出制御手段による前記第２結果示唆演出の実行中は、前記複数の図柄をすべて停止状態にさせる
ことを特徴とする遊技機。
【手続補正２】
【補正対象書類名】明細書
【補正対象項目名】０００５
【補正方法】変更
【補正の内容】
【０００５】
本発明は、特定条件の成立に基づいて遊技情報を取得する遊技情報取得手段６２と、前記遊技情報取得手段６２によって取得された遊技情報を所定数を上限として記憶可能な記憶手段６３と、複数の図柄を変動表示可能な表示手段３８と、種々の演出が可能な演出手段２２，３０，７１，７２と、前記複数の図柄の変動時間を決定する変動時間決定手段６４ｃと、前記変動時間決定手段６４ｃによって決定された変動時間内で前記複数の図柄の変動表示を制御可能であり、図柄変動表示中に前記記憶手段６３に前記遊技情報が記憶されている場合、今回図柄変動表示の終了後に次回図柄変動表示を制御可能な図柄制御手段７３，７５と、前記演出手段２２，３０，７１，７２による演出を実行制御可能な演出制御手段７３，７５と、前記複数の図柄の停止態様が特定態様となった場合に、遊技者に有利な特典遊技を実行制御可能な特典遊技制御手段６７とを備えた遊技機において、前記演出制御手段７３，７５は、前記変動時間決定手段６４ｃにより決定された今回図柄変動表示の変動時間が特定の変動時間であった場合に、該特定の変動時間内で、当該今回図柄変動表示の結果を示唆する第１結果示唆演出と、次回図柄変動表示又はそれ以降の図柄変動表示の結果を示唆する第２結果示唆演出とを実行可能であり、前記図柄制御手段７３，７５は、前記演出制御手段７３，７５による前記第１結果示唆演出の実行中は、前記複数の図柄の少なくとも一部の図柄を変動表示させ、前記演出制御手段７３，７５による前記第２結果示唆演出の実行中は、前記複数の図柄をすべて停止状態にさせるものである。
【手続補正３】
【補正対象書類名】明細書
【補正対象項目名】００６８
【補正方法】変更
【補正の内容】
【００６８】
変動パターンコマンド受信時処理（図１０）では、まず連続演出回数カウンタの値が０より大であるか否か、即ち先読み連続演出の実行中であるか否かを判定する（Ｓ３１）。そして、連続演出回数カウンタの値が０よりも大である場合、即ち先読み連続演出の実行中である場合には（Ｓ３１：Ｙｅｓ）、連続演出回数カウンタの値を１減算する（Ｓ３２）と共に、先読み連続演出シナリオをセットする（Ｓ３３）。ここで、先読み連続演出シナリオは、先読み連続演出の種類（ここでは雨と雷）毎に設けられているが、更に変動パターン毎に異なっている。なお本実施形態では、先読み連続演出シナリオが実行される変動パターンはリーチ変動パターンに限られており（図８）、例えば背景画像として雨演出又は雷演出が行われるように設定されている。
【手続補正４】
【補正対象書類名】明細書
【補正対象項目名】００７３
【補正方法】変更
【補正の内容】
【００７３】
図１１に例示した複数の変動パターンのうち、例えば図柄停止で終了している変動パターン、例えばリーチなし通常１〜３変動パターン、ノーマルリーチ１，２，４変動パターン、スーパーリーチ１〜４変動パターンについては、特別図柄が停止表示されるタイミング（即ち特別図柄変動期間の終了タイミング）の直前（第１停止タイミング）で演出図柄を全て停止させるようになっているものとし、図柄停止で終了していない変動パターン、例えばノーマルリーチ３変動パターン、スーパーリーチ５変動パターンについては、特別図柄が停止表示されるタイミング（即ち特別図柄変動期間の終了タイミング）の直前（第１停止タイミング）よりも更に前のタイミング（第２停止タイミング）で演出図柄を全て停止させるようになっているものとする。このように本実施形態では、特別図柄（第１図柄）が停止表示されるタイミングよりも前で且つそのタイミングに近い第１停止タイミングと、この第１停止タイミングよりも更に前の第２停止タイミングとを含む２以上のタイミングで演出図柄（第２図柄）を停止表示することが可能となっている。
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
遊技中に抽選契機が発生すると、所定の抽選を実行する抽選実行手段と、
前記所定の抽選が実行された場合、所定の変動時間にわたって図柄を変動表示させた後に、前記所定の抽選の結果に応じた態様で前記図柄を停止表示させる図柄表示手段と、
前記所定の抽選を実行する場合に導出される当選種類を予め規定する当選種類規定手段と、
所定の当選態様で前記図柄が停止表示された場合、設定された開放パターンに基づいて入賞口を開放させる基本役物と、
所定の開放条件が満たされた場合、開放状態に移行して遊技球の入球を可能とする所定の特別役物と、
前記基本役物の内部に配置され、遊技球が通過することで前記所定の開放条件を満たす所定の開放条件充足領域と、
前記基本役物の内部に配置され、遊技球を前記所定の開放条件充足領域の方向に案内する位置と案内しない位置に移動可能な振分可動体と
を備える遊技機。
【請求項２】
請求項１に記載の遊技機において、
前記基本役物は、
所定の駆動源を利用して開閉動作を行う電動役物であり、
前記所定の特別役物は、
遊技球の自重を利用して開閉動作を行う非電動役物であることを特徴とする遊技機。
【手続補正２】
【補正対象書類名】明細書
【補正対象項目名】０００８
【補正方法】変更
【補正の内容】
【０００８】
そこで本発明は、得られる利益を変化させることができる技術を提供することを課題とするものである。
【手続補正３】
【補正対象書類名】明細書
【補正対象項目名】００３７
【補正方法】変更
【補正の内容】
【００３７】
本発明によれば、得られる利益を変化させることができる。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
ボーナスを含む複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
前記ボーナスを抽選対象とした内部抽選が行われる通常状態と、前記ボーナスが入賞したことに基づいて移行するボーナス状態とを含む複数種類の遊技状態の間で遊技状態を移行させ、ボーナス状態において所定の終了条件が成立したことに基づいて当該ボーナス状態を終了させる制御を行う遊技状態移行制御手段と、
通常区間と有利区間とを設定可能であって、通常区間において特定抽選を行い、特定抽選に当選したことに基づいて有利区間を開始させ、有利区間においてクリアカウンタの値を更新するとともに所定条件下で特典遊技を行わせ、クリアカウンタの値が所定値に達したことに基づいて有利区間を終了させて所定の初期化処理を実行して通常区間に復帰させる特典付与手段と、
前記特典遊技において所定の役の入賞を補助する入賞補助演出を演出装置に実行させる制御を行う演出制御手段と、
を備えた遊技機であって、
前記有利区間において遊技状態が前記ボーナス状態に滞在している場合が存在し、
前記特典付与手段が、
前記有利区間において前記ボーナス状態に滞在している状況で前記クリアカウンタの値が所定値に達した場合には、当該ボーナス状態に関して前記所定の終了条件が成立しているか否かに関わらずに前記有利区間を終了させて前記所定の初期化処理を実行することを特徴とする遊技機。
【請求項２】
外周面に複数種類の図柄が配列されている複数のリールと、
ボーナスを含む複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
前記ボーナスを抽選対象とした内部抽選が行われる通常状態と、前記ボーナスが入賞したことに基づいて移行するボーナス状態とを含む複数種類の遊技状態の間で遊技状態を移行させ、ボーナス状態において所定の終了条件が成立したことに基づいて当該ボーナス状態を終了させる制御を行う遊技状態移行制御手段と、
通常区間と有利区間とを設定可能であって、通常区間において特定抽選を行い、特定抽選に当選したことに基づいて有利区間を開始させ、有利区間においてクリアカウンタの値を更新するとともに所定条件下で特典遊技を行わせ、クリアカウンタの値が所定値に達したことに基づいて有利区間を終了させて所定の初期化処理を実行して通常区間に復帰させる特典付与手段と、
前記特典遊技において所定の役の入賞を補助する入賞補助演出を演出装置に実行させる制御を行う演出制御手段と、
を備えた遊技機であって、
前記有利区間において遊技状態が前記ボーナス状態に滞在している場合が存在し、
前記特典付与手段が、
前記有利区間において前記ボーナス状態に滞在している状況で前記クリアカウンタの値が所定値に達した場合には、前記有利区間を終了させて前記所定の初期化処理を実行しても当該所定の初期化処理によっては当該ボーナス状態を終了させないことを特徴とする遊技機。
【手続補正書】
【提出日】平成31年4月18日(2019.4.18)
【手続補正１】
【補正対象書類名】特許請求の範囲
【補正対象項目名】請求項３
【補正方法】変更
【補正の内容】
【請求項３】
前記外胴部の端壁の内周面には、前記シール部材より内側であって外胴部の内部に向かって延設された周壁が設けられていることを特徴とする請求項２に記載の乾燥機。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ゲームを実行可能な遊技制御手段と、
前記遊技制御手段からの指令によって演出を制御する演出制御手段と、を備え、
前記ゲームの結果が所定の結果となった場合に遊技者に有利な特別遊技を発生可能な遊技機において、
前記遊技制御手段は、
遊技媒体数に関する情報を前記演出制御手段に送信し、
入賞により得られた遊技媒体数に関連する情報を所定の表示手段に表示可能であることを特徴とする遊技機。
【請求項２】
前記演出制御手段は、前記遊技媒体数に関する情報に対応する演出を実行可能であることを特徴とする請求項１に記載の遊技機。
【手続補正２】
【補正対象書類名】明細書
【補正対象項目名】０００４
【補正方法】変更
【補正の内容】
【０００４】
しかしながら、従来の遊技機では、遊技媒体数に関連する表示によって遊技機の状態を判断できるものではなかった。
【手続補正３】
【補正対象書類名】明細書
【補正対象項目名】０００５
【補正方法】変更
【補正の内容】
【０００５】
本発明は、遊技媒体数に関連する表示によって遊技機の状態を判断可能とすることを目的とする。
【手続補正４】
【補正対象書類名】明細書
【補正対象項目名】０００６
【補正方法】変更
【補正の内容】
【０００６】
本発明の代表的な一形態では、ゲームを実行可能な遊技制御手段と、前記遊技制御手段からの指令によって演出を制御する演出制御手段と、を備え、前記ゲームの結果が所定の結果となった場合に遊技者に有利な特別遊技を発生可能な遊技機において、前記遊技制御手段は、遊技媒体数に関する情報を前記演出制御手段に送信し、入賞により得られた遊技媒体数に関連する情報を所定の表示手段に表示可能である。
【手続補正５】
【補正対象書類名】明細書
【補正対象項目名】０００７
【補正方法】変更
【補正の内容】
【０００７】
本発明の一形態によれば、遊技媒体数に関連する表示によって遊技機の状態を判断可能となる。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ゲームを実行可能な遊技制御手段を備え、
前記ゲームの結果が所定の結果となった場合に遊技者に有利な特別遊技を発生可能な遊技機において、
遊技領域に設けられ、条件なく遊技球が入賞可能な入賞領域と、
前記遊技領域に設けられ、所定の条件が成立することによって作動して遊技球が入賞可能となる変動入賞装置と、
遊技球が前記入賞領域又は前記変動入賞装置に入賞すると、前記入賞領域と前記変動入賞装置ごとに定められた数の賞球を払い出し可能な払出制御手段と、
前記遊技領域から排出された遊技球の数である排出球数をカウントするカウント手段と、を備え、
前記遊技制御手段は、遊技球の入賞により得られた賞球数に関連する情報を報知可能であることを特徴とする遊技機。
【請求項２】
前記遊技制御手段は、前記遊技球の入賞により得られた賞球数に関連する情報を当該遊技機の外部の装置に出力可能であることを特徴とする請求項１に記載の遊技機。
【手続補正２】
【補正対象書類名】明細書
【補正対象項目名】０００４
【補正方法】変更
【補正の内容】
【０００４】
しかしながら、従来の遊技機では、賞球数に関連する報知（表示）によって遊技機の状態を判断できるものではなかった。
【手続補正３】
【補正対象書類名】明細書
【補正対象項目名】０００５
【補正方法】変更
【補正の内容】
【０００５】
本発明は、賞球数に関連する報知（表示）によって遊技機の状態を判断可能とすることを目的とする。
【手続補正４】
【補正対象書類名】明細書
【補正対象項目名】０００６
【補正方法】変更
【補正の内容】
【０００６】
本発明の代表的な一形態では、ゲームを実行可能な遊技制御手段を備え、前記ゲームの結果が所定の結果となった場合に遊技者に有利な特別遊技を発生可能な遊技機において、遊技領域に設けられ、条件なく遊技球が入賞可能な入賞領域と、前記遊技領域に設けられ、所定の条件が成立することによって作動して遊技球が入賞可能となる変動入賞装置と、遊技球が前記入賞領域又は前記変動入賞装置に入賞すると、前記入賞領域と前記変動入賞装置ごとに定められた数の賞球を払い出し可能な払出制御手段と、前記遊技領域から排出された遊技球の数である排出球数をカウントするカウント手段と、を備え、前記遊技制御手段は、遊技球の入賞により得られた賞球数に関連する情報を報知可能である。
【手続補正５】
【補正対象書類名】明細書
【補正対象項目名】０００７
【補正方法】変更
【補正の内容】
【０００７】
本発明の一形態によれば、賞球数に関連する報知（表示）を実行することによって遊技機の状態を判断可能となる。